(57)【要約】      （修正有）【課題】      敷設場所とは異なる場所にて組み立てられた網籠に玉石や栗石を詰めて蛇籠とし、当該蛇籠を敷設場所まで移動するのに、クレーンで吊り上げたり、トラックで運んでも蛇籠が変形しないようにする事。【解決手段】  設置場所とは異なる場所にて網籠２に玉石や栗石５を中詰してなる蛇籠において、当該蛇籠の下方所定厚みに玉石や栗石を入れた時点でコンクリートを流して内部の玉石や栗石を一体化せしめ、次いでその上部に玉石や栗石を詰めて上面を閉塞してなる蛇籠とする。【選択図】    図１
2007071007.tif 000002
【特許請求の範囲】
【請求項１】
敷設場所とは異なる場所にて網籠に玉石や栗石を中詰してなる蛇籠において、当該蛇籠の下方所定厚みに玉石や栗石を入れた時点でコンクリートを流入して内部の玉石や栗石を一体化せしめ、次いでその上部に玉石や栗石を詰めて上面を閉塞してなる蛇籠。
【請求項２】
敷設場所とは異なる場所にて網籠に玉石や栗石を中詰してなる蛇籠において、上部に向けて抜き勾配を有する容器中に網籠を入れ、当該網籠中に玉石や栗石を入れて網蓋をし、更に容器中に水を入れて凍結することにより、内部の玉石や栗石を一体化せしめてなる請求項１の蛇籠。
【請求項３】
容器中の網籠中に入れた玉石や栗石の間隙に土砂を入れ、更に水を加えて凍結することにより、内部の玉石や栗石、土砂を一体化せしめてなる請求項１及び請求項２の蛇籠。
【発明の詳細な説明】
【技術分野】
【０００１】  本発明は、蛇籠の製造方法に関するものであり、詳しくは石詰した蛇籠のクレーン等での吊り上げを容易とし、変形を防ぎ、且つ護岸、河床等の施工場所以外で製造して保存し、作業の発注、進捗状況に対応して出荷することができ得る蛇籠に関するものである。
【背景技術】
【０００２】  近年、護岸、河床の三面をコンクリート張り構造による河川改修が見直され、生物と共存する事が出来る自然な環境造りを河川改修において採りいれられている。【０００２】  護岸及び河床に用いるこれらの構築構造は、特に河川が蛇行していて土砂の流失が激しい流れのきつい瀬の外側の護岸部及び河床部に用いられるため、安定した組み敷き構造が得られるように水の流れ通りの良い構成のものがほとんどで、直方体とか円筒形に形成した網籠からなる蛇籠内に川原等に堆積する玉石や栗石を充填して護岸の法面に敷き積みし、または河床に敷設して構築している。【０００３】  このような蛇籠を敷設した河川の護岸及び河床においては、植物、昆虫が植生し易く、且つ水中の汚染物質を吸収浄化する土砂の流失を防いで堆積させ、また水中にあっては水流を利用して土砂を積極的に導入して堆積させ、或いは接触部材を充填して水を浄化させる構造に構築することにより、自然の水質浄化及び動植物の生息、水生植物の植生等を促進させる自然な環境に蘇らせることにあるのだが、蛇籠の敷設面において、植物、昆虫が植生し易くするためには、蛇籠内に中詰された玉石や栗石の間隙に土砂が堆積する必要がある。【０００４】  従来の蛇籠の敷設は、法面に網籠を設置し，当該網籠の中に玉石や栗石の中詰作業を行うので、現場での作業に多くの人手を必要とし、また現場付近に適当な採石場がない場合、現場での玉石や栗石の調達等に問題があった。【０００５】  このような問題に対処すべく、蛇籠の敷設方法として、敷設場所とは異なる場所にて組み立てられた蛇籠に玉石や栗石を詰めて蓋網にて蓋をし、当該蛇籠をクレーンで吊り上げてトラックにて現揚まで運び、更に現場で再びクレーンで吊り上げて敷設場所に降ろす方法が採られている。しかし当該方法ではクレーンで吊り上げた際に内部の玉石や栗石の重みにより蛇籠が変形するという問題があり、その為に蛇籠の枠組みを強固なものにする必要があり、また網籠の金網も、安価なひし形金網ではなく、強固ではあるが高価な亀甲金網を用いなければならない必要があった。
【発明の開示】
【発明が解決しようとする課題】
【０００６】  敷設場所とは異なる場所にて組み立てられた網籠に玉石や栗石を詰めて蛇籠とし、当該蛇籠を敷設場所まで移動するのに、クレーンで吊り上げたり、トラックで運んでも蛇籠が変形しないようにする事が発明が解決しようとする課題である。
【課題を解決するための手段】
【０００７】  課題を解決するための手段としては、網籠の枠組みを強固なものにしなくても、クレーン等での吊り上げ時に変形せず、移動、設置の容易なる蛇籠の開発が必要である。
【発明の効果】
【０００８】  従来、蛇籠１の敷設方法として、敷設場所とは異なる場所にて組み立てられた蛇籠１に玉石や栗石５を詰めて蓋網３にて蓋をし、当該蛇籠１をクレーンで吊り上げてトラックにて現場まで運び、更に現場で再びクレーンで吊り上げて敷設場所に降ろす方法が採られていたが、当該方法ではクレーンで吊り上げた際に内部の玉石や栗石５の重みにより蛇籠１が変形するという問題があり、それを防ぐためには蛇籠１の枠組みを強固なものにする必要があったが、本発明では、蛇籠１の下方所定厚みに玉石や栗石５を入れた時点でコンクリートを流入して内部の玉石や栗石５を一体化しており、更には、玉石や栗石５は凍結により一体化されるので移動に際してクレーンで吊り上げても、蛇籠１が変形するようなことはない。従って網籠２の枠組みを強固にする必要はなく、また網も亀甲金網でなく通常のひし形金網を用いる事が可能で蛇籠を安価に、しかも移動容易にする事ができる。更に蛇籠１を施工規模に応じて製造し保存しておけば、工事の発注時、または作業の進捗状況に対応して出荷することができる。更には蛇籠１内に詰めた玉石や栗石５の間隙に土砂７を入れれば、蛇籠の敷設面において、植物、昆虫が植生し易くし、自然の水質浄化及び動植物の生息、水生植物の植生等を促進させる自然な環境に蘇らせることに効果がある等、極めて顕著なる種々の効果を有するものである。
【発明を実施するための最良の形態】
【０００９】  本発明では課題を解決するための最良の形態として、敷設場所とは異なる場所にて網籠に玉石や栗石を中詰してなる蛇籠において、当該蛇籠の下方所定厚みに玉石や栗石を入れた時点でコンクリートを流入して内部の玉石や栗石を一体化せしめ、次いでその上部に玉石や栗石を詰めて上面を閉塞してなる蛇籠であり、更には、上部に向けて抜き勾配を有する容器中に網籠を入れ、当該網籠中に玉石や栗石を入れて網蓋をし、更に容器中に水を入れて凍結することにより、内部の玉石や栗石を一体化せしめてなる蛇籠であり、更には、容器中の網籠中に入れた玉石や栗石の間隙に土砂を入れ、更に水を加えて凍結することにより、内部の玉石や栗石、土砂を一体化せしめてなる蛇籠を呈せんとするものである。
【実施例１】
【００１０】  蛇籠１となる所定の網籠２を収納し得る大きさの容器４であり、当該容器３には底部より上方に向けて適宜の抜き勾配を設けている。容器４内の網籠２内に所定厚みに玉石や栗石５を詰める。この際、玉石や栗石５が満遍なく充填できるように振動を与えてもよい。次いで玉石や栗石５間にコンクリート８を流入し、当該玉石や栗石５をコンクリート８にて一体化し、その上に、新たに玉石や栗石５を詰め、網籠２の上面を網蓋３で覆い、閉鎖して蛇籠１とする。尚、玉石や栗石５をコンクリート８にて一体化する厚みは特に限定を受けるものではなく、当該蛇籠１をクレーンで吊り上げた時に蛇籠１が変形しなければよい。
【実施例２】
【００１１】  蛇籠１となる所定の網籠２を収納し得る大きさの容器４であり、当該容器３には底部より上方に向けて適宜の抜き勾配を設けている。容器４内の網籠２内に玉石や栗石５を詰める。この際、玉石や栗石５が満遍なく充填できるように振動を与えてもよい。玉石、栗石５を詰めた網籠２の上面を網蓋３で覆い、閉鎖して蛇籠１とする。次いで、容器４中に適量の水６を入れ、当該水６を凍結して内部の玉石や栗石５を氷により固めて一体化し、当該蛇籠１の移動に際してクレーンで吊り上げても蛇籠１が変形することのないようにしている。尚、凍結する水６の量、また凍結方法に限定を受けるものではなく、所定量の玉石や栗石５が凍結により一体化されクレーンでの吊り上げ時に蛇籠１が変形しなければよい。本実施例においては角型蛇籠について述べているが、蛇籠には角型だけでなく円筒形とか用途によっては多角形もあり、蛇籠の形状に限定を受けるものではない。
【実施例３】
【００１２】  蛇籠１となる所定の網籠２を収納し得る大きさの容器４内の網籠２内に適宜土砂７を交えて玉石や栗石５を詰める。玉石、栗石５、土砂７を詰めた網籠２の上面を網蓋３で覆い、閉鎖して蛇籠１とする。次いで、容器４中に適量の水６を入れて凍結し、内部の玉石や栗石５、土砂７を氷により固めて一体化し、当該蛇籠１の移動に際してクレーンで吊り上げても蛇籠１が変形することのないようにしている。
【産業上の利用可能性】
【００１３】  以上のように本発明は、敷設場所とは異なる場所にて網籠２に玉石や栗石５を中詰してなる蛇籠１において、当該蛇籠１の下方所定厚みに玉石や栗石５を入れた時点でコンクリート８を流入して内部の玉石や栗石５を一体化せしめ、次いでその上部に玉石や栗石５を詰めて上面を閉塞してなる蛇籠１であり、更には、上部に向けて抜き勾配を有する容器４中に網籠２を入れ、当該網籠２中に玉石や栗石５を入れて網蓋３をし、更に容器４中に水６を入れて凍結することにより、内部の玉石や栗石５を一体化せしめてなる蛇籠１であり、更には、容器４中の網籠２中に入れた玉石や栗石５の間隙に土砂７を入れ、更に水６を加えて凍結することにより、内部の玉石や栗石５、土砂７を一体化せしめてなる蛇籠であるから、従来、蛇籠１の敷設方法として、敷設場所とは異なる場所にて組み立てられた蛇籠１に玉石や栗石５を詰めて蓋網３にて蓋をし、当該蛇籠１をクレーンで吊り上げてトラックにて現場まで運び、更に現場で再びクレーンで吊り上げて敷設場所に降ろす方法が採られていたが、当該方法ではクレーンで吊り上げた際に内部の玉石や栗石５の重みにより蛇籠１が変形するという問題があり、それを防ぐためには蛇籠１の枠組みを強固なものにする必要があったが、本発明では蛇籠１の下方所定厚みに玉石や栗石５を入れた時点でコンクリート８を流入して内部の玉石や栗石５を一体化しており、更には玉石や栗石５は凍結により一体化されるので、移動に際してクレーンで吊り上げても、蛇籠１が変形するようなことはない。従って網籠２の枠組みを強固にする必要はなく、また網も亀甲金網でなく通常のひし形金網を用いる事が可能で蛇籠を安価に、しかも移動容易にする事ができる。更に蛇籠１を施工規模に応じて製造し保存しておけば、作業の進捗状況に対応して出荷することができる。更には蛇籠１内に詰めた玉石や栗石５の間隙に土砂７を入れれば、蛇籠の敷設面において、植物、昆虫が植生し易くし、自然の水質浄化及び動植物の生息、水生植物の植生等を促進させる自然な環境に蘇らせることに効果がある等、産業上の利用可能性は極めて大きいものである。
【図面の簡単な説明】
【００１４】
【図１】  蛇籠の斜視図。
【図２】  蛇籠のコンクリート詰めした状態の一部断面した側面図。
【図３】  蛇籠の凍結した状態の一部断面した側面図。
【図４】  蛇籠の凍結した状態の一部断面した側面図。
【符号の説明】
【００１５】  １  蛇籠
２  網籠
３  網蓋
４  容器
５  玉石や栗石
６  水
７  土砂
８  コンクリート
【図１】
2007071007.tif 000003
【図２】
2007071007.tif 000004
【図３】
2007071007.tif 000005
【図４】
2007071007.tif 000006